(57)【要約】【課題】撮影した写真に任意の情報を付与することができるとともに、撮影後に何を撮影したもなのかを容易に認識する。【解決手段】写真用フィルムが格納されたフィルム筐体２０に、非接触状態にて情報の書き込み及び読み出しが可能なＩＣラベル１０が貼付しておき、フィルム筐体２０がカメラ３０に格納され、フィルム筐体２０に格納された写真用フィルムに被写体が転写される際に、ＩＣラベル１０に対して非接触状態にて情報の書き込み及び読み出しが可能なリーダ／ライタ５０において、カメラ３０の外部からＩＣラベル１０に対して非接触状態にて情報の書き込みを行う。【選択図】　図１
2004093838.tif 000002
【特許請求の範囲】
【請求項１】
写真用フィルムが格納されたフィルム筐体であって、
非接触状態にて情報の書き込み及び読み出しが可能なＲＦ−ＩＤメディアが組み込まれていることを特徴とするフィルム筐体。
【請求項２】
請求項１に記載のフィルム筐体を用いた撮影システムであって、
前記フィルム筐体が格納可能に構成され、該フィルム筐体が格納された場合に、該フィルム筐体に格納された写真用フィルムに被写体を転写する撮影手段と、
前記撮影手段の外部から前記ＲＦ−ＩＤメディアに対して非接触状態にて情報の書き込み及び読み出しを行う端末とを有することを特徴とする撮影システム。
【請求項３】
請求項２に記載の撮影システムにおいて、
前記端末は、
情報の入力が可能な携帯端末と、
前記携帯端末に接続され、該携帯端末に入力された情報を非接触状態にて前記ＲＦ−ＩＤメディアに書き込む情報書込／読出手段とを有することを特徴とする撮影システム。
【請求項４】
請求項２に記載の撮影システムにおいて、
前記端末は、所定の場所に設置され、予め記憶された情報と外部から入力される情報とを前記ＲＦ−ＩＤメディアに対して非接触状態にて書き込むことを特徴とする撮影システム。
【発明の詳細な説明】
【０００１】
【発明の属する技術分野】
本発明は、写真用フィルムが格納されたフィルム筐体及びこれを用いた撮影システムに関する。
【０００２】
【従来の技術】
近年、銀塩写真に情報を書き込むものとして、例えば、被写体が転写される感光層の上部に磁気テープ層が形成されたＡＰＳフィルムが用いられている。
【０００３】
ＡＰＳフィルムにおいては、写真撮影時に、撮影日やフラッシュの有無の情報、撮影時の倍率の情報、あるいはカメラ本体に予め登録されているコメント等がカメラ本体側から書き込まれ、フィルム現像時にこれらの情報が印画紙裏面に印刷される。
【０００４】
【発明が解決しようとする課題】
しかしながら、上述したようなＡＰＳフィルムのような従来の情報の書き込み可能なフィルムにおいては、撮影日やフラッシュの有無の情報、撮影時の倍率の情報、あるいはカメラ本体に予め登録されているコメント等のカメラ本体にて決められた情報しか書き込むことができないため、撮影場所に関する情報や被写体の説明等といった、任意の情報を書き込むことができないという問題点がある。
【０００５】
また、撮影後のフィルムが単体で保管されている状態では、どのフィルムが何を撮影したものなのかわからなくなってしまう虞れがある。
【０００６】
本発明は、上述したような従来の技術が有する問題点に鑑みてなされたものであって、撮影した写真に任意の情報を付与することができるとともに、撮影後に何を撮影したもなのかを容易に認識することができるフィルム筐体及びこれを用いた撮影システムを提供することを目的とする。
【０００７】
【課題を解決するための手段】
上記目的を達成するために本発明は、
写真用フィルムが格納されたフィルム筐体であって、
非接触状態にて情報の書き込み及び読み出しが可能なＲＦ−ＩＤメディアが組み込まれていることを特徴とする。
【０００８】
また、前記フィルム筐体を用いた撮影システムであって、
前記フィルム筐体が格納可能に構成され、該フィルム筐体が格納された場合に、該フィルム筐体に格納された写真用フィルムに被写体を転写する撮影手段と、
前記撮影手段の外部から前記ＲＦ−ＩＤメディアに対して非接触状態にて情報の書き込み及び読み出しを行う端末とを有することを特徴とする。
【０００９】
また、前記端末は、
情報の入力が可能な携帯端末と、
前記携帯端末に接続され、該携帯端末に入力された情報を非接触状態にて前記ＲＦ−ＩＤメディアに書き込む情報書込／読出手段とを有することを特徴とする。
【００１０】
また、前記端末は、所定の場所に設置され、予め記憶された情報と外部から入力される情報とを前記ＲＦ−ＩＤメディアに対して非接触状態にて書き込むことを特徴とする。
【００１１】
（作用）
上記のように構成された本発明においては、非接触状態にて情報の書き込み及び読み出しが可能なＲＦ−ＩＤメディアが組み込まれたフィルム筐体に格納された写真用フィルムに被写体を撮影する場合、フィルム筐体が撮影手段に格納された状態において、被写体を撮影するとともに、ＲＦ−ＩＤメディアに対して非接触状態にて情報の書き込み及び読み出しが可能な端末にて撮影手段の外部からＲＦ−ＩＤメディアに対して所望の情報を書き込む。
【００１２】
このように、被写体が転写される写真用フィルムが格納されたフィルム筐体に所望の情報を記録することが可能となるので、撮影した写真に所望の情報を付与することができるとともに、撮影後において、フィルム筐体に記録された情報を読み出すことにより、そのフィルム筐体に格納された写真用フィルムに何が撮影されているかを容易に認識することが可能となる。
【００１３】
【発明の実施の形態】
以下に、本発明の実施の形態について図面を参照して説明する。
【００１４】
（第１の実施の形態）
図１は、本発明のフィルム筐体を用いた撮影システムの第１の実施の形態を示す図である。
【００１５】
本形態は図１に示すように、風景や人物等の被写体を撮影するための撮影手段であるカメラ３０と、被写体が転写されるフィルム（不図示）が格納された状態でカメラ３０に格納されたフィルム筐体２０と、フィルム筐体２０に貼付され、非接触状態にて情報の書き込み及び読み出しが可能なＩＣラベル１０と、ＩＣラベル１０に対する情報の書き込み及び読み出しを非接触状態にて行うためのリーダ／ライタ５０と、リーダ／ライタ５０に接続され、リーダ／ライタ５０にてＩＣラベル１０から読み出された情報を表示するとともに、ＩＣラベル１０に対して書き込む情報を入力するための携帯電話機等の携帯端末４０とから構成されている。なお、カメラ３０の筐体は、少なくともその一部が、ＩＣラベル１０に電磁波が届くような構造となっている。
【００１６】
図２は、図１に示したＩＣラベル１０の構造を示す図である。
【００１７】
本形態におけるＩＣラベル１０は図２に示すように、ベース基材１１上に形成されたコイル状の導電性を有するアンテナ１３と、アンテナ１２と接続されてベース基材１１上に搭載され、アンテナ１３を介してリーダ／ライタ５０によって非接触状態にて情報の書き込み及び読み出しが可能なＩＣモジュール１２とから構成されており、リーダ／ライタ５０等の外部に設けられた情報書込／読出手段からの電磁誘導によりアンテナ１３に電流が流れ、それによりＩＣモジュール１２に対する情報の書き込みあるいは読み出しが行われる。また、ベース基材１１の裏面には、接着層（不図示）が設けられている。
【００１８】
以下に、上記のように構成された撮影システムにおけるＩＣラベル１０に対する情報の書き込み方法及び情報の読み出し方法について説明する。
【００１９】
まず、ＩＣラベル１０に対する情報の書き込み方法について説明する。
【００２０】
図３は、図１に示した撮影システムにおけるＩＣラベル１０に対する情報の書き込み方法を説明するためのフローチャートである。
【００２１】
フィルムが格納されたフィルム筐体２０がカメラ３０に格納された状態でカメラ３０のシャッター（不図示）を押下すると、レンズ（不図示）を介して写し出された被写体がフィルムに転写される（ステップＳ１）。
【００２２】
その後、ステップＳ１にて撮影した被写体についての情報を記録する場合、まず、携帯端末４０においてステップＳ１にて撮影したフィルムが何枚目のコマであるかを指定する（ステップＳ２）。なお、撮影したフィルムが何枚目のコマであるかは、カメラ３０に表示されているので、撮影者はその表示を見て何枚目のコマであるかを携帯端末４０に入力する。また、その際、カメラ３０に表示された情報は、次に撮影するフィルムのコマ数である場合がある。その場合は、ステップＳ２にて指定されたコマ数とステップＳ１にて撮影されたフィルムのコマ数とのマッチングは、カメラ３０内部にて行うことが考えられる。
【００２３】
次に、ステップＳ１にて撮影した被写体についての情報や撮影日時等の情報を携帯端末４０を介して入力する（ステップＳ３）。例えば、被写体が風景である場合は、その場所についての情報を入力したり、被写体が人物である場合は、その人物についての情報を入力したりすることが考えられる。また、集合写真等、多くの被写体からなる写真においては、被写体それぞれの情報や位置情報を入力することも考えられる。
【００２４】
次に、携帯端末４０に接続されたリーダ／ライタ５０をカメラ３０に近接させ、その状態で携帯端末４０に対して所定の操作を行うと、携帯端末４０に接続されたリーダ／ライタ５０において、ステップＳ２，Ｓ３にて携帯端末４０に入力された情報がＩＣラベル１０に書き込まれる（ステップＳ４）。
【００２５】
次に、ＩＣラベル１０に書き込まれた情報の読み出し方法について説明する。
【００２６】
フィルム筐体２０がカメラ３０に格納されている状態で、ＩＣラベル１０に書き込まれた情報を読み出す場合は、携帯端末４０に接続されたリーダ／ライタ５０をカメラ３０に近接させ、その状態で携帯端末４０に対して所定の操作を行うと、携帯端末４０に接続されたリーダ／ライタ５０において、ＩＣラベル１０に書き込まれた情報が読み出され、読み出された情報が携帯端末４０の画面上に表示される。
【００２７】
また、フィルム筐体２０をカメラ３０から取り出した後に、ＩＣラベル１０に書き込まれた情報を読み出す場合は、携帯端末４０に接続されたリーダ／ライタ５０をＩＣラベル１０に近接させ、その状態で携帯端末４０に対して所定の操作を行うと、携帯端末４０に接続されたリーダ／ライタ５０において、ＩＣラベル１０に書き込まれた情報が読み出され、読み出された情報が携帯端末４０の画面上に表示される。なお、この場合は、ＩＣラベル１０に書き込まれた情報を携帯端末４０及びリーダ／ライタ５０を用いて読み出すことに限らず、ＩＣラベル１０に書き込まれた情報を非接触状態にて読み出すことができる情報読出手段（不図示）を用いて情報を読み出し、読み出した情報を、情報読出手段に接続されたパーソナルコンピュータ等の情報処理装置の画面上に表示させることも可能である。これにより、撮影後のフィルムが単体で保管されている状態において、どのフィルムが何を撮影したものなのかわからなくなってしまうことがなくなる。
【００２８】
また、フィルム筐体２０に格納されたフィルムを現像する際に、ＩＣラベル１０に書き込まれた情報を印画紙裏面に印字する場合は、フィルムを現像する際に、ＩＣラベル１０に書き込まれた情報を非接触状態にて読み出すことができる情報読出手段（不図示）を用いて情報を読み出し、読み出した情報を、情報読出手段に接続された印字手段にて、対応する写真の裏面に印刷する。
【００２９】
また、一度ＩＣラベル１０に書き込まれた情報を書き換えることもできる。
【００３０】
その場合は、ＩＣラベル１０に情報が書き込まれた後、携帯端末４０やパーソナルコンピュータ等の情報処理装置にて所望の情報を入力し、情報書込／読出手段にてこの情報をＩＣラベル１０に書き込むことになる。
【００３１】
（第２の実施の形態）
図４は、本発明のフィルム筐体を用いた撮影システムの第２の実施の形態を示す図である。
【００３２】
本形態は図４に示すように、風景や人物等の被写体を撮影するための撮影手段であるカメラ３０と、被写体が転写されるフィルム（不図示）が格納された状態でカメラ３０に格納されたフィルム筐体２０と、フィルム筐体２０に貼付され、非接触状態にて情報の書き込み及び読み出しが可能なＩＣラベル１０と、所定の場所に設置され、設置場所に関する情報が予め記憶されており、予め記憶された情報と外部から入力された情報とを非接触状態にてＩＣラベル１０に書き込む情報書込端末６０とから構成されている。なお、カメラ３０の筐体は、少なくともその一部が、ＩＣラベル１０に電磁波が届くような構造となっている。また、ＩＣラベル１０の構造は、図２に示したものと同様である。
【００３３】
以下に、上記のように構成された撮影システムにおけるＩＣラベル１０に対する情報の書き込み方法について説明する。
【００３４】
図５は、図４に示した撮影システムにおけるＩＣラベル１０に対する情報の書き込み方法を説明するためのフローチャートである。
【００３５】
フィルムが格納されたフィルム筐体２０がカメラ３０に格納された状態でカメラ３０のシャッター（不図示）を押下すると、レンズ（不図示）を介して写し出された被写体がフィルムに転写される（ステップＳ１１）。
【００３６】
その後、ステップＳ１１にて撮影した被写体についての情報を記録する場合、まず、情報書込端末６０においてステップＳ１１にて撮影したフィルムが何枚目のコマであるかを指定する（ステップＳ１２）。なお、撮影したフィルムが何枚目のコマであるかは、カメラ３０に表示されているので、撮影者はその表示を見て何枚目のコマであるかを情報書込端末６０に入力する。
【００３７】
次に、情報書込端末６０にカメラ３０を近接させ、その状態で情報書込端末６０に対して所定の操作を行うと、ステップＳ１２にて情報書込端末６０に指定された情報と、情報書込端末６０に予め記憶された情報とがＩＣラベル１０に書き込まれる（ステップＳ１３）。ここで、情報書込端末６０には、設置場所に関する情報が予め記憶されているため、情報書込端末６０の設置場所に関する情報がステップＳ１２にて指定されたコマに対応づけられてＩＣラベル１０に書き込まれる。これにより、その後、ＩＣラベル１０に書き込まれた情報を読み出した場合に、情報書込端末６０の設置場所で撮影された写真がフィルムの何枚目のコマであるかを認識することができる。また、情報書込端末６０においては、内部に設けられたタイマー機能にて時間が管理されており、情報の入力日時をＩＣラベル１０に書き込むことも可能である。
【００３８】
本形態においてＩＣラベル１０に書き込まれた情報を読み出す場合は、第１の実施の形態にて説明したように、例えば、フィルム筐体２０をカメラ３０から取り出した後に、ＩＣラベル１０に書き込まれた情報を読み出す場合は、ＩＣラベル１０に書き込まれた情報を非接触状態にて読み出すことができる情報読出手段（不図示）を用いて情報を読み出し、読み出した情報を、情報読出手段に接続されたパーソナルコンピュータ等の情報処理装置の画面上に表示させ、また、フィルム筐体２０に格納されたフィルムを現像する際に、ＩＣラベル１０に書き込まれた情報を印画紙裏面に印字する場合は、フィルムを現像する際に、ＩＣラベル１０に書き込まれた情報を非接触状態にて読み出すことができる情報読出手段（不図示）を用いて情報を読み出し、読み出した情報を、情報読出手段に接続された印字手段にて、対応する写真の裏面に印刷する。
【００３９】
なお、上述した２つの実施の形態においては、ＩＣラベル１０をフィルム筐体２０に貼付し、ＩＣラベル１０が貼付されたフィルム筐体２０がカメラ３０に格納された状態にてＩＣラベル１０に情報を書き込んでいるが、ＩＣラベル１０に対する情報の書き込みのタイミング及びＩＣラベル１０のフィルム筐体２０への貼付のタイミングはこれに限らず、例えば、撮影者が写真撮影後に撮影した写真に関する情報をＩＣラベル１０に書き込み、そのＩＣラベル１０をフィルム筐体２０に貼付することも考えられる。なお、撮影者が写真撮影後に撮影した写真に関する情報をＩＣラベル１０に書き込む場合は、そのＩＣラベル１０をフィルム筐体２０に貼付する場合に限らず、ネガホルダーに貼付することも考えられ、その場合、ネガホルダーに貼付されたＩＣラベル１０に書き込まれた情報を読み出すことにより、そのネガがどのような写真のネガであるかを認識することができる。
【００４０】
また、上述した３つの実施の形態においては、ＩＣラベル１０をフィルム筐体２０に貼付しているが、ＩＣタグなどの非接触状態にて情報の書き込み及び読み出しが可能なＲＦ−ＩＤメディアをフィルム筐体２０に組み込むことも考えられる。
【００４１】
【発明の効果】
以上説明したように本発明においては、写真用フィルムが格納されたフィルム筐体に、非接触状態にて情報の書き込み及び読み出しが可能なＲＦ−ＩＤメディアが組み込まれているため、フィルム筐体が撮影手段に格納され、該フィルム筐体に格納された写真用フィルムに被写体が転写される際に、ＲＦ−ＩＤメディアに対して非接触状態にて情報の書き込み及び読み出しが可能な端末において、撮影手段の外部からＲＦ−ＩＤメディアに対して非接触状態にて情報の書き込みを行えば、被写体が転写される写真用フィルムが格納されたフィルム筐体に所望の情報を記録することができ、撮影した写真に所望の情報を付与することができるとともに、撮影後において、フィルム筐体に記録された情報を読み出すことにより、そのフィルム筐体に格納された写真用フィルムに何が撮影されているかを容易に認識することができる。
【図面の簡単な説明】
【図１】本発明のフィルム筐体を用いた撮影システムの第１の実施の形態を示す図である。
【図２】図１に示したＩＣラベルの構造を示す図である。
【図３】図１に示した撮影システムにおけるＩＣラベルに対する情報の書き込み方法を説明するためのフローチャートである。
【図４】本発明のフィルム筐体を用いた撮影システムの第２の実施の形態を示す図である。
【図５】図４に示した撮影システムにおけるＩＣラベルに対する情報の書き込み方法を説明するためのフローチャートである。
【符号の説明】
１０　　ＩＣラベル
１１　　ベース基材
１２　　ＩＣモジュール
１３　　アンテナ
２０　　フィルム筐体
３０　　カメラ
４０　　携帯端末
５０　　リーダ／ライタ
６０　　情報入力端末
【図１】
2004093838.tif 000003
【図２】
2004093838.tif 000004
【図３】
2004093838.tif 000005
【図４】
2004093838.tif 000006
【図５】
2004093838.tif 000007